(57)【要約】【課題】高さ寸法を最小限に抑制できる玉搬送装置を提供する。【解決手段】島構造体２００に設けられ、パチンコ玉を遊技本体３００の並び方向に略沿って搬送する玉搬送装置５００であって、パチンコ玉が自重により移動可能な傾斜角度にて傾斜する一対の補給樋５１０を、一方の補給樋５１０の上流側端部が他方の補給樋５１０の下流側端部よりも高い高さ位置に設けるとともに、他方の補給樋５１０の下流側端部から搬入されるパチンコ玉を上方へ移動させて一方の補給樋５１０の上流側端部へ搬送する玉搬送ユニット５２０を設けた。【選択図】図１
2008036234.tif 000002
【特許請求の範囲】
【請求項１】
遊技媒体を用いて遊技される遊技装置を略並列に複数設置する島構造体に設けられ、前記遊技媒体を前記遊技装置の並び方向に略沿って搬送する遊技媒体搬送システムであって、
前記遊技装置の並び方向と略同一方向に長手に設けられて、前記遊技媒体が自重により移動可能な傾斜角度にて傾斜する第一搬送レーンと、
前記遊技装置の並び方向と略同一方向に長手に設けられて、前記遊技媒体が自重により移動可能な傾斜角度にて傾斜するとともに、前記遊技媒体の移動方向における上流側端部が前記第一搬送レーンの前記遊技媒体の移動方向における下流側端部よりも高い高さ位置に設けられる第二搬送レーンと、
前記第一搬送レーンの下流側端部に連結されて、前記第一搬送レーンから前記遊技媒体が搬入される搬入口と、
この搬入口に搬入された前記遊技媒体を上方へ移動させて前記第二搬送レーンの上流側端部近傍へ搬送する搬送部と、
前記第二搬送レーンの上流側端部に連結されて、この第二搬送レーンに前記搬送部により搬送された前記遊技媒体を搬出する搬出口と、
を具備したことを特徴とした遊技媒体搬送システム。
【請求項２】
請求項１に記載の遊技媒体搬送システムであって、
前記搬送部を保持し、前記第一搬送レーンおよび前記第二搬送レーンの間に着脱可能に取り付けられる搬送部保持部材を具備した
ことを特徴とした遊技媒体搬送システム。
【請求項３】
請求項２に記載の遊技媒体搬送システムであって、
前記搬入口、前記搬出口、前記第一搬送レーンを前記搬入口に対して位置決めする状態に支持する第一位置決め支持部、および前記第二搬送レーンを前記搬出口に対して位置決めする状態に支持する第二位置決め支持部を有し、前記第一搬送レーンおよび前記第二搬送レーンの間に設けられるレーン連結部材を具備し、
前記搬送保持部材は、前記レーン連結部材に着脱可能に取り付けられる
ことを特徴とした遊技媒体搬送システム。
【請求項４】
請求項１ないし請求項３のいずれかに記載の遊技媒体搬送システムであって、
前記搬送部は、
前記搬入口に連続して設けられるとともに、上方に向かって傾斜する搬送経路面を備えた搬送経路部と、
前記搬送経路面に対向して、この搬送経路面に少なくとも一部が略沿って移動可能に設けられるとともに、前記遊技媒体を掻き揚げる状態に互いに離隔して設けられる複数のフィンを備えた搬送部材と、
前記搬送部材を前記フィンの少なくとも一部が前記搬送経路面に略沿って上方に移動する状態に駆動させる駆動手段と、を備えた
ことを特徴とした遊技媒体搬送システム。
【請求項５】
請求項１ないし請求項３のいずれかに記載の遊技媒体搬送システムであって、
前記搬送部は、
環帯状に形成されその周面の一部が前記搬入口および前記搬出口に略連続しかつ周面方向に回転可能に設けられた第一環帯状部と、
環帯状に形成されその周面の一部および前記第一環帯状部の周面にて前記遊技媒体を狭持可能かつ周面方向に回転可能に設けられた第二環帯状部と、
前記第一環帯状部および前記第二環帯状部を前記搬入口から搬入された前記遊技媒体を狭持させて前記搬出口へ搬送させる方向へ回転させる駆動手段と、を備えた
ことを特徴とした遊技媒体搬送システム。
【請求項６】
請求項５に記載の遊技媒体搬送システムであって、
前記搬入口近傍に設けられ、積み重なった状態の前記遊技媒体を積み重ならない状態にならして前記搬入口から搬入させる搬入制御部材を具備した
ことを特徴とした遊技媒体搬送システム。
【請求項７】
請求項１ないし請求項６のいずれかに記載の遊技媒体搬送システムであって、
前記第一搬送レーンおよび前記第二搬送レーンに設けられるとともに、前記遊技媒体を前記遊技装置に供給する遊技媒体供給部を具備した
ことを特徴とした遊技媒体搬送システム。
【発明の詳細な説明】
【技術分野】
【０００１】
本発明は、遊技装置で遊技するための遊技媒体を搬送する遊技媒体搬送システムに関する。
【背景技術】
【０００２】
従来、例えば一般的に「パチンコ」と称される遊技装置は、娯楽設備として広く知られている。この遊技装置は、複数並設されて島構造体を構成して配置されている。この島構造体の上部には、例えばパチンコ玉などの遊技媒体を各遊技装置に搬送し、配給する遊技媒体搬送装置が設けられている（例えば、特許文献１参照）。
【０００３】
この特許文献１に記載のものは、計数器から投入されたパチンコ玉を、島の中央側に向かって下降傾斜する計数玉回収樋を通してメインタンクに搬送し、メインタンクの下流側端部に接続された集球機から島中央に立設された揚送研磨機を用いて島上部に設けられる上部タンクに搬送する。そして、上部タンクから島の端部に向かって下降傾斜する補給樋を設け、上部タンクに搬送されたパチンコ玉を補給樋に送り出し、補給樋に設けられる補給パイプから各遊技機にパチンコ玉を補給する構成が採られている。
【０００４】
【特許文献１】特開２００５−２６１７３３号公報
【発明の開示】
【発明が解決しようとする課題】
【０００５】
ところで、上記のような従来の技術では、上部タンクから島の端部に向かって下方に連続して傾斜する補給樋を設けているので、補給樋の上部タンク側は鉛直方向の高さが高く設置され、島端部側は低く設置される必要がある。しかしながら、このような構成では、島の高さが高くなるため、設置が困難であり、島上端部と天井との高さ位置も近接するため空調の効率も悪くなってしまうという問題が一例として挙げられる。
【０００６】
本発明は、上記問題に鑑み、高さ寸法を最小限に抑制可能な遊技媒体搬送システムを提供することを目的とする。
【課題を解決するための手段】
【０００７】
本発明の遊技媒体搬送システムは、遊技媒体を用いて遊技される遊技装置を略並列に複数設置する島構造体に設けられ、前記遊技媒体を前記遊技装置の並び方向に略沿って搬送する遊技媒体搬送システムであって、前記遊技装置の並び方向と略同一方向に長手に設けられて、前記遊技媒体が自重により移動可能な傾斜角度にて傾斜する第一搬送レーンと、前記遊技装置の並び方向と略同一方向に長手に設けられて、前記遊技媒体が自重により移動可能な傾斜角度にて傾斜するとともに、前記遊技媒体の移動方向における上流側端部が前記第一搬送レーンの前記遊技媒体の移動方向における下流側端部よりも高い高さ位置に設けられる第二搬送レーンと、前記第一搬送レーンの下流側端部に連結されて、前記第一搬送レーンから前記遊技媒体が搬入される搬入口と、この搬入口に搬入された前記遊技媒体を上方へ移動させて前記第二搬送レーンの上流側端部近傍へ搬送する搬送部と、前記第二搬送レーンの上流側端部に連結されて、この第二搬送レーンに前記搬送部により搬送された前記遊技媒体を搬出する搬出口と、を具備したことを特徴とする。
この発明によれば、遊技媒体搬送システムに、遊技媒体が自重により移動可能な傾斜角度にて傾斜する第一搬送レーンと、遊技媒体が自重により移動可能な傾斜角度にて傾斜するとともに、上流側端部が第一搬送レーンの下流側端部よりも高い高さ位置に設けられる第二搬送レーンと、を設けている。そして、搬送部にて、第一搬送レーンの下流側端部に連結された搬入口から搬入される遊技媒体を上方へ搬送して、第二搬送レーンの上流側端部に連結された搬出口へ搬送して搬出させる。
このため、遊技媒体搬送システムは、搬送部にて、第一搬送レーンの下流側端部まで移動した遊技媒体を上方へ移動させて、第二搬送レーンの上流側端部へ搬送することにより、遊技媒体を遊技装置の並び方向に略沿って搬送することができる。したがって、島構造体の長さ寸法が長くなったとしても、第一搬送レーンの上流側端部の位置と、第二搬送レーンの下流側端部の位置と、の鉛直方向の寸法差を最小限に抑えた状態で、遊技媒体を案内できる。よって、島構造体の高さをも低くすることができる。また、島構造体の設置作業を容易に実施でき、島構造体の上端部と天井面との間に十分な隙間を設けることも可能となるため、空調の効率の向上や、防犯面の強化を図ることができる。
【０００８】
本発明の遊技媒体搬送システムでは、前記搬送部を保持し、前記第一搬送レーンおよび前記第二搬送レーンの間に着脱可能に取り付けられる搬送部保持部材を具備した構成が好ましい。
この発明によれば、搬送部を保持し、第一搬送レーンおよび第二搬送レーンの間に着脱可能に取り付けられる搬送部保持部材を設けている。
このため、例えば搬送部が破損したり、搬送部で遊技媒体が詰まった場合でも、搬送部保持部材を取り外すだけで搬送部をも取り外すことができ、搬送部の修理や遊技媒体の除去を容易にできる。したがって、メンテナンスが容易であり、遊技媒体が詰まった場合などの緊急のメンテナンス時にも即座に対応することができる。
【０００９】
本発明の遊技媒体搬送システムでは、前記搬入口、前記搬出口、前記第一搬送レーンを前記搬入口に対して位置決めする状態に支持する第一位置決め支持部、および前記第二搬送レーンを前記搬出口に対して位置決めする状態に支持する第二位置決め支持部を有し、前記第一搬送レーンおよび前記第二搬送レーンの間に設けられるレーン連結部材を具備し、前記搬送保持部材は、前記レーン連結部材に着脱可能に取り付けられる構成が好ましい。
この発明によれば、搬入口、搬出口、第一搬送レーンを搬入口に対して位置決め支持する第一位置決め支持部、および第二搬送レーンを搬出口に対して位置決め支持する台に位置決め支持部を有するレーン連結部材を設けている。そして、搬送部保持部材を、レーン連結部材に着脱可能に取り付けられる構成としている。
このため、レーン連結部材により各搬送レーンを搬入口および搬出口に対して容易に位置決めすることができ、遊技搬送システムを容易に組み立てることができる。また、各搬送レーンが破損した場合でも、搬送レーンの交換作業を容易にでき、メンテナンスをより容易にできる。
【００１０】
本発明の遊技媒体搬送システムでは、前記搬送部は、前記搬入口に連続して設けられるとともに、上方に向かって傾斜する搬送経路面を備えた搬送経路部と、前記搬送経路面に対向して、この搬送経路面に少なくとも一部が略沿って移動可能に設けられるとともに、前記遊技媒体を掻き揚げる状態に互いに離隔して設けられる複数のフィンを備えた搬送部材と、前記搬送部材を前記フィンの少なくとも一部が前記搬送経路面に略沿って上方に移動する状態に駆動させる駆動手段と、を備えた構成が好ましい。
この発明によれば、搬送部に、搬入口に連続して設けられて上方傾斜する搬送経路部の搬送経路面に対向して、この搬送経路面に少なくとも一部が略沿って移動可能で、遊技媒体を掻き揚げる状態に所定間隔で離隔して略平行に設けられる複数のフィンを備えた搬送部材を設け、駆動手段によりこの搬送部材のフィンを搬送経路面に略沿って上方に移動させている。
このため、搬入口から搬入された遊技媒体を搬送経路面に沿ってフィンで押し出して上方に搬送することができる。したがって、搬送経路部に対向して設けられる搬送部材を駆動させる簡単な構成で遊技媒体を上方に搬送することができ、搬送経路部側に他の駆動部材を不要とするため、搬送部を小型化することができる。また、例えば磁力や吸着力あるいは粘着力などにより遊技媒体を保持して搬送する構成と比べて、保持状態の解除を容易にでき、より簡単な構成で遊技媒体を搬送できる。
【００１１】
本発明の遊技媒体搬送システムでは、前記搬送部は、環帯状に形成されその周面の一部が前記搬入口および前記搬出口に略連続しかつ周面方向に回転可能に設けられた第一環帯状部と、環帯状に形成されその周面の一部および前記第一環帯状部の周面にて前記遊技媒体を狭持可能かつ周面方向に回転可能に設けられた第二環帯状部と、前記第一環帯状部および前記第二環帯状部を前記搬入口から搬入された前記遊技媒体を狭持させて前記搬出口へ搬送させる方向へ回転させる駆動手段と、を備えた構成が好ましい。
この発明によれば、搬送部に、周面の一部が搬入口および搬出口に略連続し、かつ、周面方向に回転可能に設けられた第一環帯状部と、周面の一部で第一環帯状部とにて遊技媒体を狭持可能かつ周面方向に回転可能に設けられた第二環帯状部と、を設け、駆動手段により第一環帯状部および第二環帯状部を回転させている。
このため、第一環帯状部および第二環帯状部の周面にて遊技媒体を狭持して、これらを回転させるだけの簡単な構成で、遊技媒体を搬送できる。
【００１２】
本発明の遊技媒体搬送システムでは、前記搬入口近傍に設けられ、積み重なった状態の前記遊技媒体を積み重ならない状態にならして前記搬入口から搬入させる搬入制御部材を具備した構成が好ましい。
この発明によれば、搬入口近傍に、積み重なった状態の遊技媒体を積み重ならない状態にならして搬入口から搬入させる搬入制御部材を設けている。
このため、第一環帯状部および第二環帯状部へ常時積み重ならない状態で遊技媒体を搬入することができ、遊技媒体の搬送を安定した状態で適切に実施できる。
【００１３】
本発明の遊技媒体搬送システムでは、前記第一搬送レーンおよび前記第二搬送レーンに設けられるとともに、前記遊技媒体を前記遊技装置に供給する遊技媒体供給部を具備した構成が好ましい。
この発明によれば、遊技媒体を搬送しながら遊技装置へ供給でき、遊技媒体搬送システムの利便性を向上できる。
【発明を実施するための最良の形態】
【００１４】
以下、本発明に係る一実施の形態としての遊技システムについて図面を参照して説明する。なお、本実施の形態では、いわゆる「パチンコ」と称されるパチンコ式遊技装置を用いて説明するが、これに限らず、例えば球状の遊技媒体を用いて遊技するスロットマシーン、業務用テレビゲーム機などにも適用できる。
【００１５】
〔遊技システムの構成〕
図１は、本実施の形態における遊技システムの一部を示す正面図である。図２は、遊技システムの上部の玉搬送装置の一部を示す正面図である。図３は、図２の玉搬送ユニットの近傍をさらに拡大した正面図である。図４は、玉搬送装置における補給樋の斜視図である。図５は、図３の玉搬送ユニットを拡大した拡大正面図である。図６は、玉搬送ユニットの断面図である。図７は、玉搬送ユニットを天面側から見た平面図である。図８は、玉搬送ユニットにおける搬送ドラム部材を軸心に対して略直交する方向に断面した断面図である。図９は、搬送ドラム部材を構成する芯部の斜視図である。図１０は、搬送ドラム部材を構成するフィン設置筒部の斜視図である。
【００１６】
図１において、１００は、遊技システムで、この遊技システム１００は、島構造体２００と、遊技本体３００と、遊技媒体貸出装置４００と、遊技媒体搬送システムとしての玉搬送装置５００と、を備えている。この遊技システム１００は、「ホール」と称される店舗の床面上に複数の遊技本体３００および遊技媒体貸出装置４００が一体的に設置されて一体の独立構築物である島構造体２００に構成されている。なお、遊技本体３００と遊技媒体貸出装置４００とにより、本発明の遊技装置が構成される。
【００１７】
そして、この島構造体２００は、例えば木材やアルミニウム合金などにより矩形の枠組上に構成されている。この島構造体２００の長手方向に対する両側面には、遊技本体３００が嵌挿して閉塞される遊技機窓部２１０と、遊技媒体貸出装置４００が嵌挿して閉塞される貸出機窓部２２０と、揚送装置２５０が嵌挿して閉塞される図示しない揚送機窓部と、が対を成す状態で複数開口形成されている。なお、本実施の形態においては、島構造体２００の両側面に設けられる遊技機窓部２１０および貸出機窓部２２０が同数である場合について説明するが、両側面で数が異なる構造や、ホールの壁際に設けられる一面側にのみ開口する構造としてもよい。
また、島構造体２００の下部には、島回収手段２４０が設けられる回収収納部２６０が設けられ、島構造体２００の上部には、玉搬送装置５００が設けられる搬送収納部２７０が設けられている。そして、この島構造体２００には、遊技本体３００、遊技媒体貸出装置４００、揚送装置２５０、および玉搬送装置５００に電力を供給する電力供給手段と、これら遊技本体３００、遊技媒体貸出装置４００、揚送装置２５０、および玉搬送装置５００の動作を制御する制御装置と、などが設けられている。
【００１８】
島回収手段２４０は、図１に示すように、回収樋２４１と、複数の回収ホッパ２４２と、を備えている。回収樋２４１は、例えば略樋状に形成され、島構造体２００の端部側から揚送装置２５０に向かって下降傾斜するように設けられている。回収ホッパ２４２は、回収樋２４１の上方に、遊技本体３００の台数に対応した数で設けられている。この回収ホッパ２４２は、各遊技本体３００にて回収された遊技媒体としての略球状のパチンコ玉Ｐ（図５および図６参照）を回収樋２４１に送り出す。
【００１９】
揚送装置２５０は、前記したように、島構造体２００の略中央位置に遊技本体３００や遊技媒体貸出装置４００に隣接して設けられている。この揚送装置２５０は、回収樋２４１を転がって流れてきたパチンコ玉Ｐを収集し、収集したパチンコ玉Ｐを島構造体２００の上部に設けられる玉搬送装置５００に搬送する。具体的には、揚送装置２５０は、下端部に回収樋２４１が連結される玉収集口２５１と、上端部に設けられる玉排出口２５２と、玉収集口２５１から玉排出口２５２までパチンコ玉Ｐを搬送する図示しない揚送手段と、揚送手段を駆動させる図示しない駆動源と、を備えている。また、揚送装置２５０には、図示しない洗浄手段が設けられ、この洗浄手段により収集したパチンコ玉Ｐを洗浄する。
【００２０】
〔玉搬送装置の構成〕
玉搬送装置５００は、図１ないし図３に示すように、複数の搬送レーンとしての補給樋５１０と、これらの補給樋５１０を連結する玉搬送ユニット５２０と、図示しない制御手段としての制御装置と、などを備えている。ここで、玉搬送ユニット５２０を挟んで揚送装置２５０側に設けられる補給樋５１０が本発明における第一搬送レーンを構成し、玉搬送ユニット５２０を挟んで島構造体２００の端部側に設けられる補給樋５１０が第二搬送レーンを構成する。
【００２１】
補給樋５１０は、島構造体２００の遊技本体３００および遊技媒体貸出装置４００の並び方向と略同一方向に長手状に形成され、揚送装置２５０から島構造体２００の端部に向かって、例えば５分（２．８６度）の角度で下降傾斜する状態に設けられている。この補給樋５１０の長手方向の長さ寸法は、例えば図１に示すように２台分の遊技本体３００および遊技媒体貸出装置４００の長さ寸法に設定されている。これらの補給樋５１０のうち、揚送装置２５０に隣接配置される補給樋５１０の揚送装置２５０側の端部は、揚送装置２５０の玉排出口２５２に連結されている。また、島構造体２００の端部に配置される補給樋５１０は、図示しない端部回収ホッパに接続され、補給樋５１０の端部に到達したパチンコ玉Ｐは、この端部回収ホッパから島回収手段２４０の回収樋２４１に搬送される。さらに、互いに隣接して配置される補給樋５１０間には、玉搬送ユニット５２０が配設され、この玉搬送ユニット５２０にそれぞれの補給樋５１０の端部が連結されている。
そして、この補給樋５１０は、図４に示すように、補給樋本体５１１と、樋側面部材５１２と、樋天板５１３と、などを備えている。
【００２２】
補給樋本体５１１は、長手方向に沿って互いに平行して設けられる一対の保持部５１１Ａを備えている。この保持部５１１Ａは、下端部に側方が開口する略コ字状に形成されている。そして、補給樋本体５１１は、この保持部５１１Ａを搬送収納部２７０に設けられる図示しない係止部に係止することで保持されている。
【００２３】
また、保持部５１１Ａの上端部には、下部側壁部５１１Ｂが立ち上がって形成されている。この下部側壁部５１１Ｂの内面側、すなわち他方の下部側壁部５１１Ｂと対向する側には、搬送板保持部５１１Ｃが突出している。
そして、この搬送板保持部５１１Ｃの突出先端部から上方に搬送板足部５１１Ｄが下部側壁部５１１Ｂと対向して立上形成されている。また、この搬送板足部５１１Ｄの下部側壁部５１１Ｂと対向する面には、凹状溝５１１Ｄ１が補給樋本体５１１の長手方向に沿って形成されている。
【００２４】
さらに、補給樋本体５１１は、これらの一対の搬送板足部５１１Ｄの立上先端部を連結する搬送板５１１Ｅが設けられている。この搬送板５１１Ｅは、補給樋本体５１１の長手方向に略直交する方向に沿って、中央部が上方に盛り上がった湾曲形状に形成されている。これにより、搬送板５１１Ｅ上を転がるパチンコ玉Ｐは、搬送板５１１Ｅの側方に移動する。
【００２５】
また、搬送板５１１Ｅの下部には、下方に突出する略フック状の係合部５１１Ｆが一対設けられている。これらの係合部５１１Ｆは、互いに対向する方向にフック部が形成され、搬送板５１１Ｅの長手方向に沿って、搬送板５１１Ｅの略中央部に平行して設けられている。
【００２６】
樋側面部材５１２は、補給樋本体５１１の長手方向に沿う側面に沿って立設される略板状部材である。この樋側面部材５１２の下部は、補給樋本体５１１の内方に突出する凸部５１２Ａを有している。そして、この樋側面部材５１２は、下部を補給樋本体５１１の下部側壁部５１１Ｂと搬送板足部５１１Ｄとの間に挿通し、凸部５１２Ａを搬送板足部５１１Ｄの凹状溝５１１Ｄ１に係合することで補給樋本体５１１に固定されている。
また、樋側面部材５１２の上端部には、断面略円形の天面係合部５１２Ｂが設けられている。
【００２７】
さらに、樋側面部材５１２には、例えば遊技本体３００および遊技媒体貸出装置４００の上方の所定位置に対応して、玉出口５１２Ｃ（図１および図２参照）が開口形成されている。
この玉出口５１２Ｃには、それぞれ遊技媒体供給部としての玉補給シュート５１４が取り付けられている。この玉補給シュート５１４は、図１および図２に示すように、それぞれ遊技本体３００または遊技媒体貸出装置４００に連結されている。
そして、この玉補給シュート５１４には、図示しない電動開閉弁が設けられ、この電動開閉弁は、遊技本体３００や遊技媒体貸出装置４００と電気的に接続されている。そして、例えば遊技本体３００や遊技媒体貸出装置４００から所定の信号が入力されると、電動開閉弁が開状態となり、搬送板５１１Ｅから玉出口５１２Ｃを介して玉補給シュート５１４に導入されたパチンコ玉Ｐを、玉補給シュート５１４に連結された遊技本体３００または遊技媒体貸出装置４００に補給する。
【００２８】
さらには、樋側面部材５１２の島構造体２００の端部側、すなわち下流側の端側には、端部から所定寸法の位置に、搬送板５１１Ｅの上面を転がるパチンコ玉Ｐの移動状態を検出する樋側検出センサＣ１が設けられている。
この樋側検出センサＣ１は、例えば一方の樋側面部材５１２から他方の樋側面部材５１２に向かって赤外線などの光を射出して、他方の樋側面部材５１２に設けられる受光部にて射出された光を受光する。そして、樋側検出センサＣ１は、制御装置に電気的に接続されており、受光部にて光を検出すると、所定の検出信号を制御装置に適宜出力する。なお、樋側検出センサＣ１としては、上記のような光センサ、赤外線センサに限らず、例えば光を射出する側の樋側面部材５１２に受光部を設け、パチンコ玉Ｐに反射された光を受光して制御装置に出力する構成であってもよく、その他のセンサを用いた構成であってもよい。
【００２９】
樋天板５１３は、補給樋本体５１１の長手方向と略同一方向に長手状に形成される板状部材である。この樋天板５１３の長手方向に沿う両側辺には、下方に突出する略Ｕ字状の天面取付部５１３Ａが形成されている。そして、樋天板５１３は、この天面取付部５１３Ａを樋側面部材５１２の天面係合部５１２Ｂに係合することで搬送板５１１Ｅを覆うように取り付けられている。
ここで、この補給樋本体５１１の搬送板５１１Ｅ、樋側面部材５１２、搬送板天面部５１３に囲われる領域が、パチンコ玉Ｐを転がして搬送する搬送領域となる。
【００３０】
玉搬送ユニット５２０は、上記したように、互いに隣り合う補給樋５１０の間にそれぞれ配設され、これらの補給樋５１０の端部を接続している。この玉搬送ユニット５２０は、図１および図２に示すように、島構造体２００の搬送収納部２７０に予め固定されたブラケット２８０に例えばボルト締めなどにより固定されている。
そして、玉搬送ユニット５２０は、揚送装置２５０側、すなわちパチンコ玉Ｐの移動方向における上流側に配置される補給樋５１０から導入されたパチンコ玉Ｐを、他方の島構造体２００の端部側、すなわちパチンコ玉Ｐの移動方向における下流側に配置される補給樋５１０に搬送する。
この玉搬送ユニット５２０は、レーン連結部材としての下側ケース５３０と、搬送部保持部材としての上側ケース５４０と、搬送部を構成する搬送部材としての搬送ドラム部材５５０と、搬送部を構成する駆動手段としての駆動部５６０と、などを備えている。
【００３１】
下側ケース５３０は、例えばポリオキシメチレン（ＰＯＭ：polyoxymethylene、一般名：ジュラコン）などの合成樹脂などにより形成されている。この下側ケース５３０は、図３、図５ないし図７に示すように、上流側に配置される補給樋５１０と対向する第一側面５３０Ａ、下流側に配置される補給樋５１０と対向する第二側面５３０Ｂ、島構造体２００の遊技本体３００の正面と同方向となる前面５３０Ｃ、この前面５３０Ｃに対向する後面５３０Ｄ、およびこれらの第一側面５３０Ａ、第二側面５３０Ｂ、前面５３０Ｃ、後面５３０Ｄと隣接する図示しない底面を備えた略箱状に形成されている。また、この下側ケース５３０の上面側には、搬送ドラム部材５５０を出し入れ可能な開口窓５３１が開口形成されている。さらに、下側ケース５３０の底面には、図示しない取付部が設けられており、この取付部をブラケット２８０に例えばボルト締めなどすることにより下側ケース５３０が島構造体２００に固定されている。
【００３２】
下側ケース５３０の第一側面５３０Ａの下部側には、断面略矩形筒状の搬入口および第一位置決め支持部としての第一連結部５３２が揚送装置２５０側に突出して形成されている。また、この第一連結部５３２の基端部、すなわち下側ケース５３０の内方側には、第一連結部５３２の底面から立ち上がる壁状の第一ストッパ５３２Ａが形成されている。
第一ストッパ５３２Ａは、補給樋５１０の補給樋本体５１１の保持部５１１Ａの下端部から搬送板５１１Ｅまでの長さ寸法と略同一高さ寸法に形成されている。さらに、この第一ストッパ５３２Ａの上端部には、上流側に配置される補給樋５１０の搬送板５１１Ｅと略平行して突出するとともに、可撓性を有する図示しない舌片部が設けられている。
この第一連結部５３２には、上流側に配置される補給樋５１０の端部が第一ストッパ５３２Ａに当接されるように挿通される。この時、搬送板５１１Ｅの下面側に設けられる係合部５１１Ｆに舌片部が係合されることで、搬送板５１１Ｅの上面の高さ位置と第一ストッパ５３２Ａの上端部の高さ位置が略一致し、搬送板５１１Ｅと第一ストッパ５３２Ａとの間の隙間の発生を防止する。
【００３３】
また、下側ケース５３０の第二側面５３０Ｂの上部側には、上側が開口する断面略コ字状の搬出口および第二位置決め支持部としての第二連結部５３３が下流側に突出して形成されている。この第一連結部５３２の基端部、すなわち下側ケース５３０の内方側には、第二連結部５３３の底面から立ち上がる壁状の第二ストッパ５３３Ａが形成されている。そして、この第二連結部５３３には、下流側に配置される補給樋５１０の端部が第二ストッパ５３３Ａに当接されるように上方から載置されて設置される。
なお、第一連結部５３２と同様に、第二連結部５３３の第二ストッパ５３３Ａから、可撓性の舌片部が設けられる構成としてもよく、この場合、この舌片部を搬送板５１１Ｅの係合部５１１Ｆに係合することで、確実に補給樋５１０を接続することが可能となり、また搬送板５１１Ｅと第二ストッパ５３３Ａの高さ位置を確実に揃えることが可能となる。
【００３４】
そして、下側ケース５３０には、第一連結部５３２の第一ストッパ５３２Ａの上端縁から第二連結部５３３の第二ストッパ５３３Ａの上端縁までを連結する搬送部を構成する搬送経路部５３４が、前面５３０Ｃおよび後面５３０Ｄに挟まれる状態で配置されている。この搬送経路部５３４は、可動板５３５と、可動板５３５の第二連結部５３３側に隣接して配置される曲面部５３４Ａと、曲面部５３４Ａの第二連結部５３３側に隣接して配置されるとともに、第二ストッパ５３３Ａの上端縁と連結される搬出面５３４Ｂと、を備えている。
【００３５】
可動板５３５は、第一ストッパ５３２Ａの上端縁と曲面部５３４Ａの第一連結部５３２側を連結する板状部材であり、例えばポリオキシメチレン（ＰＯＭ：polyoxymethylene、一般名：ジュラコン）などの合成樹脂などにより形成されている。この可動板５３５の曲面部５３４Ａ側の端部には、下方に突出する軸受け部５３５Ａが突出形成されている。
この軸受け部５３５Ａは、前面５３０Ｃから後面５３０Ｄに向かう方向と同軸となる円筒状に形成され、前面５３０Ｃおよび後面５３０Ｄから突出されるピン５３５Ｂが係合されている。また、このピン５３５Ｂは、第一ストッパ５３２Ａの上端縁よりも高さ位置が低い位置に設けられている。これにより、ピン５３５Ｂに軸受け部５３５Ａを係合することで、可動板５３５は、第一ストッパ５３２Ａの上端縁から曲面部５３４Ａに向かうに従って、例えば５分（２．８６度）の傾斜角度で僅かに下降傾斜して、軸受け部５３５Ａを中心として回動可能に取り付けられている。
また、可動板５３５の下方には、付勢ばね５３５Ｃが、例えば前面５３０Ｃおよび後面５３０Ｄの少なくとも一方に設けられている。この付勢ばね５３５Ｃの一端部は、前面５３０Ｃまたは後面５３０Ｄに固定され、他端部は、可動板５３５に当接している。そして、この付勢ばね５３５Ｃは、可動板５３５が軸受け部５３５Ａを軸として下方側に回動した際に、可動板５３５の第一連結部５３２側の先端部が第一ストッパ５３２Ａの上端縁の高さ位置となるように、可動板５３５を上方に付勢している。
さらに、可動板５３５の下方には、可動検出スイッチＣ２が設けられている。この可動検出スイッチＣ２は、例えば前面５３０Ｃの後面５３０Ｄと対向する面に固定され、上部に進退自在なボタンを有している。また、可動検出スイッチＣ２は、制御装置に電気的に接続されている。そして、この可動検出スイッチＣ２は、可動板５３５が下方側に所定距離回動すると、ボタンが可動板５３５の下面で押し込まれ、所定の検出信号を制御装置に出力する。
【００３６】
このような可動板５３５は、例えば玉搬送ユニット５２０内の搬送経路部５３４にパチンコ玉Ｐが所定数以上搬入された場合に、搬送ドラム部材５５０の回転により可動板５３５上のパチンコ玉Ｐが下方に押圧され、可動板５３５が回動される。
【００３７】
曲面部５３４Ａは、本発明の搬送経路面を構成し、前記したように、可動板５３５の第二連結部５３３側に隣接して設けられ、第二連結部５３３に連結される搬出面５３４Ｂの第一連結部５３２側に連結されている。この曲面部５３４Ａは、可動板５３５の第二連結部５３３側の端部から、搬出面５３４Ｂの第一連結部５３２側の端部に亘って、後述する搬送ドラム部材５５０の曲率を略同一曲率にて、すなわち搬送ドラム部材５５０の回転軸を中心とする所定半径の曲面にて上方に向かって湾曲形成されている。また、曲面部５３４Ａの第一連結部側端部から第二連結部側端部を結ぶ円弧に対する中心角は略直角に設定されている。なお、本実施の形態では、曲面部５３４Ａの中心角が略直角である例を示すが、これに限定されず、例えば中心角が９０度以下である構成であればよい。
【００３８】
搬出面５３４Ｂは、曲面部５３４Ａおよび第二ストッパ５３３Ａと一体形成されている。また、この搬出面５３４Ｂは、第二連結部５３３の第二ストッパ５３３Ａの上端縁から、例えば５分（２．８６度）で僅かに上方傾斜して、第一連結部５３２側に延びて形成されている。
そして、この搬出面５３４Ｂの前面５３０Ｃ側には、搬出センサＣ３が設けられている。この搬出センサＣ３は、例えば前面５３０Ｃの外方に固定されている。すなわち、前面５３０Ｃの搬出面５３４Ｂの近傍には、下側ケース５３０の内外と貫通するセンサ孔５３０Ｃ１が形成されており、このセンサ孔５３０Ｃ１に臨んで搬出センサＣ３が設けられている。この搬出センサＣ３としては、光センサ、赤外線センサなどが例示される。すなわち、センサ孔５３０Ｃ１から内部に向かって検出用のセンサ光を射出して、後面５３０Ｄ側に設けられる図示しない受光部にて射出されたセンサ光を受光する。そして、搬出センサＣ３では、受光部にて受光したセンサ光の受光時間間隔を制御装置に出力する。なお、搬出センサＣ３としては、これに限らず、例えば受光部は、パチンコ玉Ｐに反射されたセンサ光を検出する構成としてもよく、またその他のセンサを利用するものであってもよい。
【００３９】
そして、下側ケース５３０の前面５３０Ｃおよび後面５３０Ｄの上端縁には、第一側面５３０Ａおよび第二側面５３０Ｂと隣接する位置にそれぞれ外方に突出する取付片５３６が設けられている。この取付片５３６には、上側ケース５４０を取り付ける際にボルトが貫通される孔部が形成されている。
また、前面５３０Ｃおよび後面５３０Ｄの上端縁には、開口窓５３１と連通するＵ字溝５３７が形成されている。このＵ字溝５３７は、前面５３０Ｃおよび後面５３０Ｄの上端縁の略中心位置から底面に向かって長手状に形成されている。そして、このＵ字溝５３７には、後述する搬送ドラム部材５５０が挿通される。
【００４０】
さらに、下側ケース５３０の前面５３０Ｃの曲面部５３４Ａおよび搬出面５３４Ｂの対応する位置の下方には、モータ取付孔５３８が開口形成されている。このモータ取付孔５３８には、駆動部５６０のモータ５６１が嵌入されて固定される。さらに、前面５３０Ｃには、駆動部５６０の伝達ギア５６２が回転可能に軸支されている。
【００４１】
なお、本実施の形態では、下側ケース５３０の第一側面５３０Ａ、第二側面５３０Ｂ、前面５３０Ｃ、後面５３０Ｄ、第一連結部５３２、第二連結部５３３、曲面部５３４Ａ、および搬出面５３４Ｂが一体形成されている構成を例示するが、これに限られない。例えば第一側面５３０Ａ、第二側面５３０Ｂ、第一連結部５３２、第二連結部５３、曲面部５３４Ａ、および搬出面５３４Ｂが例えばポリオキシメチレン（ＰＯＭ：polyoxymethylene、一般名：ジュラコン）などの合成樹脂などにより一体形成され、前面５３０Ｃおよび後面５３０Ｄが例えば金属部材などにより形成されて、第一側面５３０Ａ、第二側面５３０Ｂ、第一連結部５３２、第二連結部５３３、曲面部５３４Ａ、および搬出面５３４Ｂの前面５３０Ｃ側および後面５３０Ｄ側に固定されている構成などとしてもよい。
【００４２】
上側ケース５４０は、例えば金属部材などにより形成されている。この上側ケース５４０は、下側ケース５３０に着脱自在に取り付けられるとともに、後述の搬送ドラム部材５５０を回転可能に保持している。そして、上側ケース５４０は、図３、図５ないし図７に示すように、天面５４１と、前保持面５４２と、後保持面５４３と、を備えている。
【００４３】
天面５４１は、搬送ドラム部材５５０の一部が挿通可能なドラム挿通口５４１Ａが開口形成されている。また、天面５４１の四隅、すなわち下側ケース５３０の取付片５３６に対応する位置には、それぞれ前面５３０Ｃ側および後面５３０Ｄ側に突出する着脱片５４１Ｂが設けられている。この着脱片５４１Ｂは、それぞれ、ボルトを挿通する孔部が形成されている。そして、着脱片５４１Ｂを下側ケース５３０の取付片５３６に当接させてボルト締めすることで、上側ケース５４０が下側ケース５３０に対して着脱可能に取り付けられている。
【００４４】
前保持面５４２および後保持面５４３は、天面５４１に隣接して連続形成されている。これらの前保持面５４２および後保持面５４３は、上側ケース５４０が下側ケース５３０に固定された状態において、それぞれ下側ケース５３０の前面５３０Ｃおよび後面５３０Ｄを覆う状態に配置される。また、これらの前保持面５４２および後保持面５４３は、略中心位置にドラム取付片５４４が下方側に突出して形成されている。このドラム取付片５４４の下端縁には、天面５４１側に向かって長手状に形成される軸挿入溝５４５が形成されている。そして、このドラム取付片５４４には、ドラム取付片５４４の軸挿入溝５４５に搬送ドラム部材５５０の軸部５５１が挿通された状態で、この軸部５５１を回転可能に保持するドラム保持部材５５１Ａを例えばねじ止めなどにより固定することで、搬送ドラム部材５５０が着脱自在に取り付けられる。
【００４５】
搬送ドラム部材５５０は、軸部５５１と、芯部５５２と、フィン設置筒部５５３と、搬送羽根部５５３Ｃを有する複数のフィン５５４と、を備えている。
【００４６】
軸部５５１は、搬送ドラム部材５５０の略中心軸上に配置される。
この軸部５５１の前面５３０Ｃ側の一端側の所定位置には、駆動部５６０の伝達ギア５６２に噛合可能なドラムギア５５１Ｂが固定されている。これには、例えば軸部５５１の一部を切欠き、ドラムギア５５１Ｂの軸部５５１を挿通する孔部をこの切欠に対応した形状に形成することでドラムギア５５１Ｂを軸部５５１に固定している。
また、軸部５５１のドラムギア５５１Ｂの固定位置のさらに端部側には、押え部材５５１Ｃが挿通されて固定されている。この押え部材５５１Ｃは、ドラムギア５５１Ｂに係合され、ドラムギア５５１Ｂの抜け落ちを防止している。なお、軸部５５１の径方向にピン部材などを挿通し、このピン部材とドラムギア５５１Ｂに係止させることでドラムギア５５１Ｂを軸部５５１に固定する構成などとしてもよい。
さらに、軸部５５１の前面５３０Ｃ側端部には、操作つまみ５５１Ｄが固定されている。具体的には、軸部５５１の前面５３０Ｃ側の端部には、図示しない雄ねじ部が設けられ、この雄ねじ部に操作つまみ５５１Ｄが螺合されて固定されている。これにより、操作つまみ５５１Ｄを手動により回転駆動させることで、搬送ドラム部材５５０を強制的に回転させることが可能となる。したがって、例えば玉搬送ユニット５２０の内部にパチンコ玉Ｐが詰まった場合に、この操作つまみ５５１Ｄを回転させることで、搬送ドラム部材５５０を回転駆動させ、詰まりを解消させることが可能となる。
【００４７】
さらに、ドラムギア５５１Ｂの固定位置の内方側、すなわち他端部側には、前記したような、ドラム保持部材５５１Ａが回転可能に設けられている。さらには、軸部５５１の後面５３０Ｄ側の他端部側の所定位置にも、同様に、ドラム保持部材５５１Ａが回転可能に設けられている。そして、前記したように、これらのドラム保持部材５５１Ａを上側ケース５４０のドラム取付片５４４に例えばねじ止めなどすることで、搬送ドラム部材５５０を上側ケース５４０に回転可能、かつ着脱可能に固定している。
【００４８】
さらに、軸部５５１の他端部には、図６に示すような、ドラムトルクセンサＣ４が設けられている。このドラムトルクセンサＣ４は、軸部５５１の他端部に設けられる半月片Ｃ４１と、半月片に向かって例えば赤外線などを照射して半月片にて反射された赤外線を検出する図示しない赤外線センサとなどを備えている。そして、このドラムトルクセンサＣ４の赤外線センサは、制御装置に電気的に接続され、半月片Ｃ４１の検知間隔を検知信号として制御装置に入力している。これにより、制御装置では、赤外線センサの半月片Ｃ４１の検知間隔により搬送ドラム部材５５０の回転速度を演算することが可能となる。
【００４９】
芯部５５２は、例えばジュラコンなどの合成樹脂により形成されている。この芯部５５２は、図８ないし図１０に示すように、軸部５５１が嵌入される内筒部５５２Ａと、フィン設置筒部５５３に挿通される外筒部５５２Ｂと、これらの内筒部５５２Ａおよび外筒部５５２Ｂを連結する複数の放射連結部５５２Ｃと、を備えている。これらの内筒部５５２Ａ、外筒部５５２Ｂ、および放射連結部５５２Ｃは、例えば合成樹脂などにより一体的に形成されている。
【００５０】
内筒部５５２Ａは、内周面の径寸法が軸部５５１の外周面の径寸法と略同一径寸法に形成されており、内周部に軸部５５１を嵌入している。これにより、軸部５５１が回転駆動することで、内筒部５５２Ａも回転し、搬送ドラム部材５５０が回転駆動する。なお、内筒部５５２Ａに軸部５５１を嵌入する構成としたが、これに限定されず、例えば軸部５５１を内筒部５５２Ａに挿通した状態で、内筒部５５２Ａの外周面から軸部５５１の中心軸に向かってピン部材を挿通することで、軸部５５１が内筒部５５２Ａに対して回転しないように固定する構成としてもよい。また、内筒部５５２Ａの外周面には、径方向に向かって複数の放射連結部５５２Ｃが形成されており、上記したようにこの放射連結部５５２Ｃにより内筒部５５２Ａと外筒部５５２Ｂが連結されている。
【００５１】
外筒部５５２Ｂは、上記のように放射連結部５５２Ｃにより内筒部５５２Ａと連結固定されており、内筒部５５２Ａが軸部５５１の回転により回転駆動すると、外筒部５５２Ｂも回転駆動する。そして、外筒部５５２Ｂの外周面には、図９に示すように、所定間隔おきに、例えば９０度間隔で、外径方向に突出する位置決めピン５５２Ｂ１が形成されている。これらの位置決めピン５５２Ｂ１は、外筒部５５２Ｂの軸方向における前面５３０Ｃ側の端部に形成されている。また、外筒部５５２Ｂの外周面には、所定間隔おきに外径方向に突出して、芯部５５２の軸心方向と平行して長手状に形成される回転止部５５２Ｂ２が形成される。これらの回転止部５５２Ｂ２は、例えば隣り合う位置決めピン５５２Ｂ１の間に等間隔で２つずつ配設されている。
【００５２】
フィン設置筒部５５３は、図１０に示すように、例えば合成樹脂などにより略円筒状に形成されている。このフィン設置筒部５５３の内周径寸法は、芯部５５２の外筒部５５２Ｂの外径寸法と略同一径寸法、もしくは僅かに大きく形成されている。また、フィン設置筒部５５３の軸心方向の長さ寸法は、下側ケース５３０の前面５３０Ｃおよび後面５３０Ｄの間隔寸法と略同一寸法に形成されている。
そして、このフィン設置筒部５５３は、芯部５５２の外筒部５５２Ｂに形成される位置決めピン５５２Ｂ１、回転止部５５２Ｂ２に対向する位置にそれぞれピン挿通孔５５３Ａおよび回転止挿通溝５５３Ｂが形成されている。また、ピン挿通孔５５３Ａは、フィン設置筒部５５３の前面５３０Ｃ側の端側に形成され、このピン挿通孔５５３Ａからフィン設置筒部５５３の端部に向かって摺動溝が形成されている。これにより、フィン設置筒部５５３に芯部５５２を挿通する際に、位置決めピン５５２Ｂ１を摺動溝に沿って摺動させてピン挿通孔５５３Ａまで移動させることができ、組み立て性が良好になる。
【００５３】
また、フィン設置筒部５５３には、外周面と内周面を貫通するとともに、軸方向に沿って長手となるフィン設置孔５５３Ｃが所定間隔を開けて複数形成されている。このフィン設置孔５５３Ｃは、図８、図１０に示すように、等間隔、例えば３０度間隔で、隣り合うピン挿通孔５５３Ａおよび回転止挿通溝５５３Ｂの間、隣り合う回転止挿通溝５５３Ｂ同士の間に、それぞれ設けられている。このフィン設置孔５５３Ｃには、それぞれフィン５５４が内周側から外周側に突出するように挿通されている。なお、本実施の形態では、フィン設置孔５５３Ｃが３０度間隔で形成される例を示すが、これに限定されず、例えばフィン５５４にて搬送経路部５３４の曲面部５３４Ａに搬送されたパチンコ玉を掻き揚げて搬送可能であれば、その間隔は特に限定されない。
【００５４】
フィン５５４は、例えばウレタンゴムなどの可撓性を有する合成樹脂により形成される略板状部材であり、搬送ドラム部材５５０の軸心方向に沿って長手状に形成されている。このフィン５５４は、図８に示すように、固定端部５５４Ａと、挿通部５５４Ｂと、搬送羽根部５５４Ｃと、を備えている。これらの固定端部５５４Ａ、挿通部５５４Ｂ、および搬送羽根部５５４Ｃが一体的に形成されている。
固定端部５５４Ａは、フィン５５４の端部に設けられ、挿通部５５４Ｂに対して略Ｔ字状に形成されている。この固定端部５５４Ａは、芯部５５２およびフィン設置筒部５５３に挟持されて固定される部分である。この芯部５５２およびフィン設置筒部５５３の接線方向の長さ寸法が、フィン設置筒部５５３のフィン設置孔５５３Ｃの溝幅よりも大きい幅寸法に形成されている。これにより、固定端部５５４Ａはフィン５５４が搬送ドラム部材５５０から抜け落ちることを防止している。
【００５５】
挿通部５５４Ｂは、固定端部５５４Ａのフィン設置筒部５５３の接線方向の略中心位置から略垂直に立ち上がって形成されている。この挿通部５５４Ｂは、フィン設置筒部５５３のフィン設置孔５５３Ｃに挿通される。
【００５６】
搬送羽根部５５４Ｃは、挿通部５５４Ｂに連続形成されるとともに、この挿通部５５４Ｂと所定の角度で傾斜して形成されている。ここで、この搬送羽根部５５４Ｃは、搬送ドラム部材５５０の外径側に向かうに従って、搬送ドラム部材５５０の回転方向と逆方向に傾斜するような所定傾斜角度に形成されている。
また、搬送羽根部５５４Ｃの搬送ドラム部材５５０の径方向に対する長さ寸法は、搬送羽根部５５４Ｃの先端部と下側ケース５３０の曲面部５３４Ａとの隙間寸法が少なくとも搬送されるパチンコ玉Ｐの径寸法よりも小さいサイズに形成されている。
【００５７】
駆動部５６０は、モータ５６１と、伝達ギア５６２と、などを備えている。モータ５６１は、前記したように、下側ケース５３０の前面５３０Ｃに設けられたモータ取付孔５３８に嵌挿され、例えばねじ止めなどにより固定されている。このモータ５６１は、制御装置に電気的に接続され、制御装置から所定の電力が供給されることで、前面５３０Ｃ側に突設されるモータ軸を回転駆動させる。またモータ５６１のモータ軸の先端部には、モータギア５６１Ａが固定されており、モータ５６１の回転駆動力を伝達ギア５６２に伝達する。
【００５８】
伝達ギア５６２は、前記したように、前面５３０Ｃに回転可能に取り付けられ、モータ５６１のモータギア５６１Ａと噛合している。また、伝達ギア５６２は、上側ケース５４０を下側ケース５３０に固定した状態で、搬送ドラム部材５５０の軸部５５１に固定されたドラムギア５５１Ｂに噛合する。そして、モータ５６１から伝達された回転駆動力をドラムギア５５１Ｂに伝達し、搬送ドラム部材５５０を回転駆動させる。
【００５９】
制御装置は、玉搬送装置５００全体の動作を制御する。
具体的には、制御装置は、前記したように、揚送装置２５０、樋側検出センサＣ１、可動検出スイッチＣ２、搬出センサＣ３、ドラムトルクセンサＣ４、およびモータ５６１などに電気的に接続され、これらに所定の電力を供給する。
また、制御装置は、樋側検出センサＣ１、可動検出スイッチＣ２、搬出センサＣ３、およびドラムトルクセンサＣ４から入力される各種検出信号を認識し、揚送装置２５０、および各玉搬送ユニット５２０のモータ５６１の駆動を制御する。
【００６０】
具体的には、制御装置は、樋側検出センサＣ１から入力される検出信号に基づいて、搬送板５１１Ｅ上を移動するパチンコ玉Ｐの詰まり状態を判断する。すなわち、制御装置は、樋側検出センサＣ１から検出信号が入力されない時間を認識する。そして、この検出信号が入力されない時間が予め設定された所定時間以上となった場合、補給樋５１０が詰まり状態であると判断し、例えばこの補給樋５１０の上流側に配置される玉搬送ユニット５２０のモータ５６１を一時停止させ、所定時間後に再び駆動させる制御をする。
【００６１】
また、制御装置は、可動検出スイッチＣ２から検出信号を認識すると、玉搬送装置５００の玉搬送ユニット５２０のモータ５６１および揚送装置２５０の揚送動作を停止させる。
【００６２】
さらに、玉搬送ユニット５２０は、搬出センサＣ３から入力される検出信号に基づいて、搬出センサＣ３から検出信号が入力されない時間を認識する。そして、この検出信号が入力されない時間が所定時間以上となった場合、搬出面５３４Ｂ上のパチンコ玉Ｐが移動していない、すなわち玉搬送ユニット５２０の下流側の補給樋５１０が詰まっていると判断して、この搬出センサＣ３が設けられた玉搬送ユニット５２０のモータ５６１を停止させる制御をする。また、モータ５６１が停止した状態で、搬出センサＣ３から検出信号が入力されると、再びモータ５６１を駆動させる制御をする。
【００６３】
さらには、制御装置は、ドラムトルクセンサＣ４から入力される検出信号に基づいて、搬送ドラム部材５５０の回転速度を認識する。そして、制御装置は、搬送ドラム部材５５０の回転速度が予め設定された所定回転速度よりも小さい場合、玉搬送装置５００の玉搬送ユニット５２０のモータ５６１および揚送装置２５０の揚送動作を緊急停止させる制御をする。
【００６４】
〔遊技システムの動作〕
次に、上記設置した遊技システム１００における玉搬送装置５００の動作について説明する。
【００６５】
島構造体２００に配置される遊技本体３００に設けられる回収ホッパ２４２に投入されたパチンコ玉Ｐ、および島構造体２００の例えば端部などに設けられる図示しない計数手段から投入されたパチンコ玉Ｐは、島回収手段２４０の回収樋２４１に貯留される。
【００６６】
そして、制御装置は、揚送装置２５０の揚送手段を制御して、回収樋２４１に貯留されたパチンコ玉Ｐを玉収集口２５１から玉排出口２５２まで搬送する。
【００６７】
玉排出口２５２から排出されたパチンコ玉Ｐは、玉搬送装置５００に導入される。すなわち、パチンコ玉Ｐは、玉排出口２５２に連結される補給樋５１０の搬送板５１１Ｅ上に排出され、この搬送板５１１Ｅ上を流通して下流側に搬送される。
【００６８】
この時、補給樋５１０の搬送板５１１Ｅは、略中央部が上側となる略円弧状に形成されているため、パチンコ玉Ｐは、樋側面部材５１２に沿って搬送板５１１Ｅ上を移動する。そして、樋側面部材５１２に設けられた玉出口５１２Ｃから玉補給シュート５１４を通って各遊技本体３００および各遊技媒体貸出装置４００にパチンコ玉Ｐが搬送され供給される。
なお、この玉補給シュート５１４にパチンコ玉Ｐが十分に供給されている場合、玉出口５１２Ｃに供給されたパチンコ玉Ｐのうち、最終尾近傍の一部のパチンコ玉Ｐの１／４程度が玉出口５１２Ｃから搬送板５１１Ｅ上に突出する。これにより、搬送板５１１Ｅの上流側から搬送されて来たパチンコ玉Ｐは、これらの最終尾近傍の一部のパチンコ玉Ｐに当接して搬送板５１１Ｅの中央部側に跳ね返り、下流側に搬送される。
【００６９】
また、制御装置は、補給樋５１０の下流側に設けられる樋側検出センサＣ１から入力される検出信号により、搬送板５１１Ｅ上を搬送されるパチンコ玉Ｐの単位時間当たりの搬送移動個数を認識する。そして、制御装置は、この搬送移動個数が予め設定された所定数よりも小さい場合、補給樋５１０が上流側から搬送されてきたパチンコ玉Ｐで詰まっていると判断し、この補給樋５１０の上流側、すなわち上流側に配置される玉搬送ユニット５２０のモータ５６１、または揚送装置２５０の揚送手段を一時停止させる制御をし、所定時間経過後に再びこれらのモータ５６１および揚送装置２５０の揚送手段を駆動させる制御をする。
【００７０】
この後、補給樋５１０により搬送されたパチンコ玉Ｐは、玉搬送ユニット５２０の第一連結部５３２に搬入される。
【００７１】
また、制御装置は、玉搬送ユニット５２０のモータ５６１を制御して、搬送ドラム部材５５０を回転駆動させる。これにより、搬送ドラム部材５５０のフィン５５４は、第一連結部５３２に搬送されたパチンコ玉Ｐを曲面部５３４Ａに沿って搬出面５３４Ｂ側に揚送する。この時、フィン５５４は、搬送ドラム部材５５０の回転方向と逆方向に傾斜する形状に形成されているため、例えばフィン５５４でパチンコ玉Ｐをすくい上げて搬出面５３４Ｂに排出されないなどの不都合を防止することが可能となる。
【００７２】
そして、制御装置は、搬出面５３４Ｂの側方に設けられる搬出センサＣ３から入力される検出信号を認識し、搬出面５３４Ｂにおけるパチンコ玉Ｐの移動状態を認識する。そして、制御装置は、搬出面５３４Ｂ上のパチンコ玉Ｐが詰まり状態であると判断すると、モータ５６１を停止させる制御をする。そして、制御装置は、搬出センサＣ３から入力される検出信号に基づいて、搬出面５３４Ｂのパチンコ玉Ｐの詰まり状態が解消されたことを認識すると、再びモータ５６１を駆動させて搬送ドラム部材５５０によるパチンコ玉Ｐの揚送動作を再開させる制御をする。
【００７３】
また、上流側から搬送されたパチンコ玉Ｐが玉搬送ユニット５２０内に所定数以上搬入されると、可動板５３５上にこれらのパチンコ玉Ｐが多段に積層されてしまう状態となる。この状態で搬送ドラム部材５５０が回転駆動されると、可動板５３５が下方側に押し込まれ、可動検出スイッチＣ２が押される。このような場合、制御装置は、可動検出スイッチＣ２から入力される検出信号を認識し、可動検出スイッチＣ２が押された玉搬送ユニット５２０のモータ５６１を緊急停止させる。
【００７４】
さらに、制御装置は、ドラムトルクセンサＣ４から入力される検出信号に基づいて、搬送ドラム部材５５０の回転速度を算出する。そして、制御装置は、モータ５６１が駆動している状態で算出した回転速度が予め設定された所定速度以下である場合、この玉搬送ユニット５２０およびこの玉搬送ユニット５２０の上流側に配置される全玉搬送ユニット５２０のモータ５６１、および揚送装置の揚送手段を緊急停止させる。
【００７５】
また、上記のようにモータ５６１の停止により、補給樋５１０にパチンコ玉Ｐが溜まりだすと、上流側の玉搬送ユニット５２０の搬出センサＣ３や樋側検出センサＣ１にてパチンコ玉Ｐの詰まりを検出して、上流側の玉搬送ユニット５２０のモータ５６１も停止される。ここで、制御装置は、揚送装置２５０の下流側に位置する玉搬送ユニット５２０のモータ５６１が停止されると、揚送装置２５０の揚送手段の駆動も停止させる制御をする。
【００７６】
一方、搬出面５３４Ｂに搬出されたパチンコ玉Ｐは、第二連結部５３３に連結された補給樋５１０に搬出される。そして、この第二連結部５３３に連結された補給樋５１０は、上記した補給樋５１０と同様に、パチンコ玉Ｐを下流側に搬送し、下流側に配置される玉搬送ユニット５２０に導入する。以下、同様に、島構造体２００の端部に至るまで、補給樋５１０および玉搬送ユニット５２０によりパチンコ玉Ｐを搬送し、補給樋５１０の側方に設けられる玉出口５１２Ｃから各遊技本体３００および各遊技媒体貸出装置４００にパチンコ玉Ｐを供給する。
【００７７】
〔実施の形態の作用効果〕
上述したように、上記のような遊技システムの玉搬送装置５００は、上流側に配置される補給樋５１０からパチンコ玉Ｐが玉搬送ユニット５２０の第一連結部５３２に搬入されると、玉搬送ユニット５２０にて、パチンコ玉Ｐを上方へ搬送して、第二連結部５３３から下流側に配置される補給樋５１０にパチンコ玉Ｐを搬出する。
このため、上流側の補給樋５１０の下流側端部まで移動したパチンコ玉を上方へ搬送して、下流側の補給樋５１０の上流側端部へ搬送することにより、パチンコ玉Ｐを遊技本体３００の並び方向に略沿って搬送することができる。したがって、島構造体２００の長さ寸法が長くなったとしても、上流側の補給樋５１０の上流側端部の位置と、下流側の補給樋５１０の下流側端部の位置と、の鉛直方向の寸法差を最小限に抑えた状態で、パチンコ玉Ｐを案内できる。よって、島構造体２００の高さをも低くすることができる。さらに、島構造体２００の設置作業を容易に実施できる。また、島構造体２００の高さ寸法が低くなるため、空調の効率も良好にできる。さらに、天井に防犯カメラなどを設置した場合、島構造体２００の高さ寸法が低くなることで防犯カメラの視界が良好となり、遊技本体３００の不正使用などを防止でき、防犯面でも強化することができる。
【００７８】
また、玉搬送ユニット５２０は、上側ケース５４０に搬送ドラム部材５５０が取り付けられていて、この上側ケース５４０は下側ケース５３０に着脱自在に取り付けられている。
このため、上記のように、玉搬送ユニット５２０内で詰まりなどが発生した場合でも、上側ケース５４０を取り外すだけで搬送ドラム部材５５０をも取り外すことができ、詰まったパチンコ玉Ｐを容易に取り除くことができる。したがって、メンテナンスが容易であり、パチンコ玉Ｐが詰まった場合などの緊急のメンテナンス時にも即座に対応することができる。また、搬送ドラム部材５５０の修理も容易にできる。
【００７９】
そして、第一連結部５３２および第二連結部５３３を有する下側ケース５３０を設け、この下側ケース５３０に上側ケース５４０が着脱自在に取り付けられる構成としている。
このため、下側ケース５３０により補給樋５１０を容易に位置決めでき、玉搬送装置５００を容易に組み立てることができる。また、補給樋５１０が破損した場合でも、補給樋５１０の交換作業を容易にでき、メンテナンスをより容易にできる。
【００８０】
さらに、玉搬送ユニット５２０は、モータ５６１の駆動力により搬送ドラム部材５５０を回転駆動させてフィン５５４を曲面部５３４Ａに沿って移動させることで、搬入されたパチンコ玉Ｐを曲面部５３４Ａに沿って第二連結部５３３側に掻き揚げて揚送し、第二連結部５３３から下流側に配置される補給樋５１０に揚送されたパチンコ玉Ｐを搬出する。
このため、搬送ドラム部材５５０を回転駆動させるだけの簡単な構成で、フィン５５４でパチンコ玉Ｐを低位置に配置される第一連結部５３２から高位置に配置される第二連結部５３３に掻き揚げるようにして押し出して揚送することができる。
【００８１】
そして、玉搬送装置５００の補給樋５１０に、玉補給シュート５１４を設けている。
このため、パチンコ玉Ｐを搬送しながら遊技本体３００へ供給でき、玉搬送装置５００の利便性を向上できる。
【００８２】
〔実施の形態の変形〕
以上、本発明について好適な実施の形態を挙げて説明したが、本発明は、これらの実施の形態に限定されるものではなく、本発明の要旨を逸脱しない範囲において種々の改良並びに設計の変更が可能である。
【００８３】
例えば、上側ケース５４０を設けずに、下側ケース５３０に、搬送ドラム部材５５０を設ける構成としてもよい。
このような構成にすれば、玉搬送装置５００の部品点数を減らすことができ、組み立て作業をより容易にできる。また、玉搬送装置５００の軽量化を図ることができる。
【００８４】
そして、補給樋５１０を、下側ケース５３０にねじなどにより強固に固定する構成としてもよい。
このような構成にすれば、補給樋５１０が下側ケース５３０から外れるのを防止でき、補給樋５１０を下側ケース５３０に固定したままでの搬送が容易になり、玉搬送装置５００の設置を容易にできる。
【００８５】
また、搬送部材として、略円柱状の搬送ドラム部材５５０の周面からフィン５５４が突設され、曲面部５３４Ａの円弧曲面に沿ってフィン５５４を上方に移動させる構成としたが、これに限らない。
例えば、搬送部材として、複数の回転軸に環状のベルトを巻装させ、このベルトに複数のフィンを設ける構成としてもよい。このような構成では、搬送経路部５３４として上方に向かって傾斜する板状部材を用いることもできる。すなわち、この搬送経路部５３４の下端位置および上端位置に対向して、それぞれ搬送部材の回転軸を配置し、これらの回転軸に亘って周面にフィンが設けられたベルトを巻装させる。
そして、駆動手段により、搬送経路部５３４に対向するベルトが上方に向かって移動するように回転軸を移動させることで、ベルトに設けられたフィンも搬送経路部に沿って上方に移動する。このような構成でも、フィンにより容易にパチンコ玉を搬送経路部５３４に沿って上方に搬送することができる。
また、搬送経路部の形状は上記のような平板状に限らず、上記実施の形態のような円弧曲面状としてもよく、上方に向かって湾曲する形状としてもよく、いずれの形状であっても、搬送経路部の搬送経路面の形状に応じて回転軸を配置してベルトを巻装させることでパチンコ玉を上方に搬送することができる。
【００８６】
そして、玉搬送ユニット５２０の代わりに、図１１に示すような玉搬送ユニット６００を適用してもよい。
この図１１に示す玉搬送ユニット６００は、ケース６１０と、搬送部６２０と、などを備えている。
【００８７】
ケース６１０は、島構造体２００の遊技本体３００の正面と同方向となる図示しない前面、この前面に対向する後面６１１、およびこれら前面および後面６１１を連結する底面６１２を備え、上面、および両側面が略開口された形状に形成されている。なお、前面および後面６１１は、略同一の構成を有しているため、後面６１１について詳細に説明する。
【００８８】
後面６１１の上部側には、揚送装置２５０側（図１１中右側）に設けられた第一軸嵌挿溝６１１Ａと、島構造体２００の端部側（図１１中左側）に設けられた第二軸嵌挿溝６１１Ｂと、が設けられている。
第一軸嵌挿溝６１１Ａは、後面６１１の上端から上下方向略中央にかけて設けられた第一溝部６１１Ａ１と、この第一溝部６１１Ａ１から揚送装置２５０側に屈曲する状態で設けられた第二溝部６１１Ａ２と、この第二溝部６１１Ａ２から下端近傍に向けて設けられた第三溝部６１１Ａ３と、を備えている。
また、後面６１１には、ケース６１０の外側となる部分に、第一軸受部６１３Ａおよび第二軸受部６１３Ｂが設けられている。第一軸受部６１３Ａは、第一溝部６１１Ａ１および第二溝部６１１Ａ２の連結部分に設けられている。第二軸受部６１３Ｂは、第三溝部６１１Ａ３の下端部分に設けられている。
【００８９】
第二軸嵌挿溝６１１Ｂは、後面６１１の上端からこの上端近傍にかけて設けられた第一溝部６１１Ｂ１と、この第一溝部６１１Ｂ１から島構造体２００の端部側に屈曲する状態で設けられた第二溝部６１１Ｂ２と、この第二溝部６１１Ｂ２から下端近傍に向けて設けられた第三溝部６１１Ｂ３と、を備えている。
また、後面６１１には、ケース６１０の外側となる部分に、第三軸受部６１３Ｃおよび第四軸受部６１３Ｄが設けられている。第三軸受部６１３Ｃは、第一溝部６１１Ｂ１および第二溝部６１１Ｂ２の連結部分に設けられている。第四軸受部６１３Ｄは、第二溝部６１１Ｂ２および第三溝部６１１Ｂ３の連結部分に設けられている。
【００９０】
また、前面も、後面６１１と同様に、図示しない第一，第二軸嵌挿溝を備えている。さらに、前面にも、図示しない第一〜第四軸受部が設けられている。
【００９１】
さらに、前面および後面６１１における揚送装置２５０側の端部には、これらを架橋する状態で、搬入制御部材６１４と、第一連結部６１５と、が設けられている。
搬入制御部材６１４は、補給樋５１０の搬送領域上端側を、この搬送領域の開口部分の高さ寸法がパチンコ玉Ｐの直径寸法を２倍した寸法よりも小さくなる状態に閉塞する閉塞部６１４Ａを備えている。この閉塞部６１４Ａは、補給樋５１０から積み重なった状態でパチンコ玉Ｐが搬送された場合、積み重ならない状態にならしてケース６１０内部に案内する。
第一連結部６１５は、補給樋５１０の側面に当接される一対の側方ストッパ６１５Ａ（後面６１０側の側方ストッパ６１５Ａのみ図示）と、これら側方ストッパ６１５Ａの上端におけるケース６１０の内部側を架橋する平板状に形成され補給樋５１０からのパチンコ玉Ｐをケース６１０内へ案内する搬入案内部６１５Ｂと、この搬入案内部６１５Ｂの補給樋５１０側の端部から下方に平板状に延出する状態で設けられ補給樋５１０の開口端の上下方向略中央部分が当接される端部中央ストッパ６１５Ｃと、この端部中央ストッパ６１５Ｃの下端から補給樋５１０側に平板状に延出する状態で設けられ補給樋５１０の開口端の下端が当接される下端ストッパ６１５Ｄと、などを備えている。そして、第一連結部６１５は、補給樋５１０を揚送装置２５０側から島構造体２００の端部側に向かって下降傾斜する状態で支持する。なお、前面、後面６１１、搬入制御部材６１４、および搬入案内部６１５Ｂで囲まれる部分が、本発明の搬入口に対応する。
【００９２】
また、前面および後面６１１における島構造体２００の端部側の端部には、これらを架橋する状態で、架橋部６１６と、搬出案内部６１７と、第二連結部６１８と、がそれぞれ設けられている。
搬出案内部６１７は、架橋部６１６の上端に設けられパチンコ玉Ｐをケース６１０の外側へ案内する。
第二連結部６１８は、架橋部６１６における島構造体２００の端部側に設けられている。この第二連結部６１８は、補給樋５１０の側面に当接される一対の側方ストッパ６１８Ａ（後面６１０側の側方ストッパ６１８Ａのみ図示）と、補給樋５１０の底面に当接される底面ストッパ６１８Ｂと、補給樋５１０の開口端の下側が当接される端部下側ストッパ６１８Ｃと、を備えている。
そして、第二連結部６１８は、補給樋５１０を揚送装置２５０側から島構造体２００の端部側に向かって下降傾斜する状態で支持する。なお、前面、後面６１１、および搬出案内部６１７で囲まれる部分が、本発明の搬出口に対応する。
【００９３】
搬送部６２０は、第一環帯状部としての第一ベルト６２１と、第二環帯状部としての第二ベルト６２２と、第一ベルト６２１を周面方向に回転可能に保持する第一ベルト保持部６２３と、第二ベルト６２２を周面方向に回転可能に保持する第二ベルト保持部６２４と、駆動手段としての駆動部６２５と、などを備えている。
第一ベルト６２１および第二ベルト６２２は、ゴムなどの材料により、周面方向と直交する方向の寸法が補給樋５１０の幅寸法と略等しい環帯状に形成されている。また、第一ベルト６２１は、第二ベルト６２２よりも周面方向の長さ寸法が大きい形状に形成されている。
【００９４】
第一ベルト保持部６２３は、第一連結部６１５近傍に設けられた第一下側保持部６２３Ａと、第二連結部６１８近傍に設けられた第一上側保持部６２３Ｂと、を備えている。
第一下側保持部６２３Ａは、円柱状の円柱部６２３Ａ１と、この円柱部６２３Ａ１から軸方向両端に突出する状態で設けられ第二軸受部６１３Ｂで受けられる軸部６２３Ａ２と、を備えている。円柱部６２３Ａ１は、その上端が搬入案内部６１５Ｂの高さ位置よりも若干低い位置に位置する状態で設けられている。
第一上側保持部６２３Ｂは、第一下側保持部６２３Ａと同様に、円柱部６２３Ｂ１と、第四軸受部６１３Ｄで受けられる軸部６２３Ｂ２と、を備えている。円柱部６２３Ｂ１は、その上端が搬出案内部６１７の高さ位置よりも若干高い位置に位置する状態で設けられている。
そして、第一ベルト６２１は、円柱部６２３Ａ１，６２３Ｂ１に架け渡され、揚送装置２５０側の補給樋５１０の下流側端部と、島構造体２００の端部側の補給樋５１０の上流側端部と、を略連結する状態で設けられている。
【００９５】
第二ベルト保持部６２４は、第一下側保持部６２３Ａの上側かつ第一上側保持部６２３Ｂ側に設けられた第二下側保持部６２４Ａと、第一上側保持部６２３Ｂの上側かつ第一下側保持部６２３Ａ側に設けられた第二上側保持部６２４Ｂと、を備えている。
第二下側保持部６２４Ａは、円柱部６２４Ａ１と、第一軸受部６１３Ａで受けられる軸部６２４Ａ２と、を備えている。円柱部６２４Ａ１は、その下端と、第一下側保持部６２３Ａの円柱部６２３Ａ１の上端と、の間の寸法がパチンコ玉Ｐの直径寸法と略等しくなる状態で設けられている。
第二上側保持部６２４Ｂは、円柱部６２４Ｂ１と、第三軸受部６１３Ｃで受けられる軸部６２４Ｂ２と、を備えている。円柱部６２４Ｂ１は、この円柱部６２４Ｂ１に架け渡される第二ベルト６２２と、第一ベルト６２１と、の間の寸法がパチンコ玉Ｐの直径寸法と略等しくなる状態で設けられている。
そして、第二ベルト６２２は、円柱部６２４Ａ１，６２４Ｂ１に架け渡され、第一ベルト６２１と協働してパチンコ玉Ｐを狭持可能な状態に設けられている。また、第一，第二ベルト６２１，６２２でパチンコ玉Ｐを狭持する際、パチンコ玉Ｐにて、第一ベルト６２１における第二下側保持部６２４Ａに対向する部分が、第二下側保持部６２４Ａから離れる方向に押圧されて変形する。この押圧されて変形した際の反力により、パチンコ玉Ｐは、第一，第二ベルト６２１，６２２で強固に狭持される。
【００９６】
駆動部６２５は、モータ６２６と、伝達部６２７と、などを備えている。
モータ６２６は、ケース６１０の内部における島構造体２００の端部側の下端近傍に設けられている。このモータ６２６は、制御装置に接続され、ケース６１０の前面から外側に突出するモータ軸６２６Ａを回転駆動させる。
【００９７】
伝達部６２７は、第一伝達ギア６２７Ａと、第二伝達ギア６２７Ｂと、第三伝達ギア６２７Ｃと、を備えている。第一伝達ギア６２７Ａは、モータ軸６２６Ａの６１０の先端に設けられている。第二伝達ギア６２７Ｂは、第一上側保持部６２３Ｂの軸部６２３Ｂ２の前面側の先端に、第一伝達ギア６２７Ａに噛合する状態で設けられている。第三伝達ギア６２７Ｃは、第二下側保持部６２４Ａの軸部６２４Ｂ２の前面側の先端に、第二伝達ギア６２７Ｂに噛合する状態で設けられている。
【００９８】
そして、玉搬送ユニット６００にてパチンコ玉Ｐを搬送する場合、揚送装置２５０側の補給樋５１０から搬出されるパチンコ玉Ｐを、搬入案内部６１５Ｂを介して第一ベルト６２１の第一下側保持部６２３Ａ側に案内する。さらに、駆動部６２５にて、第一，第二ベルト６２１，６２２を回転駆動させて、パチンコ玉Ｐを狭持しながら斜め上方へ搬送し、搬出案内部６１７を介して、島構造体２００の端部側の補給樋５１０へ搬出する。
【００９９】
このような構成にすれば、第一，第二ベルト６２１，６２２の周面にてパチンコ玉Ｐを狭持して、これらを回転させるだけの簡単な構成でパチンコ玉Ｐを搬送できる。
【０１００】
また、搬入制御部材６１４にて、第一，第二ベルト６２１，６２２へ補給樋５１０からのパチンコ玉Ｐを常時積み重ならない状態で搬入することができ、パチンコ玉Ｐの搬送を安定した状態で適切に実施できる。
【０１０１】
そして、上記実施の形態では、遊技媒体として略球状のパチンコ玉Ｐを使用したが、例えば略楕円球状に形成されているものやその他の形状のものであってもよい。
【０１０２】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【０１０３】
遊技装置で遊技するための遊技媒体を搬送する遊技媒体搬送ユニットに利用できる。
【図面の簡単な説明】
【０１０４】
【図１】本発明に係る一実施の形態における遊技システムの一部を示す正面図である。
【図２】遊技システムの上部の玉搬送装置の一部を示す正面図である。
【図３】図２の玉搬送ユニットの近傍をさらに拡大した正面図である。
【図４】玉搬送装置における補給樋の斜視図である。
【図５】図３の玉搬送ユニットを拡大した拡大正面図である。
【図６】玉搬送ユニットの断面図である。
【図７】玉搬送ユニットを天面側から見た平面図である。
【図８】玉搬送ユニットにおける搬送ドラム部材を軸心に対して略直交する方向に断面した断面図である。
【図９】搬送ドラム部材を構成する芯部の斜視図である。
【図１０】搬送ドラム部材を構成するフィン設置筒部の斜視図である。
【図１１】本発明に係る他の実施の形態における玉搬送ユニットの断面図である。
【符号の説明】
【０１０５】
２００  …島構造体
３００  …遊技装置を構成する遊技本体
４００  …遊技装置を構成する遊技媒体貸出装置
５００  …遊技媒体搬送システムとしての玉搬送装置
５１０  …搬送レーンとしての補給樋
５１４  …遊技媒体供給部としての玉補給シュート
５３０  …レーン連結部材としての下側ケース
５３２  …搬入口および第一位置決め支持部としての第一連結部
５３３  …搬出口および第二位置決め支持部としての第二連結部
５３４  …搬送部を構成する搬送経路部
５３４Ａ…搬送経路面を構成する曲面部
５４０  …搬送部保持部材としての上側ケース
５５０  …搬送部を構成する搬送部材としての搬送ドラム部材
５５４  …フィン
５６０  …搬送部を構成する駆動手段としての駆動部
６１４  …搬入制御部材
６２０  …搬送部
６２１  …第一環帯状部としての第一ベルト
６２２  …第二環帯状部としての第二ベルト
６２５  …駆動手段としての駆動部
Ｐ      …遊技媒体としてのパチンコ玉
【図１】
2008036234.tif 000003
【図２】
2008036234.tif 000004
【図３】
2008036234.tif 000005
【図４】
2008036234.tif 000006
【図５】
2008036234.tif 000007
【図６】
2008036234.tif 000008
【図７】
2008036234.tif 000009
【図８】
2008036234.tif 000010
【図９】
2008036234.tif 000011
【図１０】
2008036234.tif 000012
【図１１】
2008036234.tif 000013